(57)【要約】      （修正有）【課題】傾斜面における歩行や作業がし易く、方向転換して移動することが可能であり、かつ傾斜面を上り下りする際にもその方向を向いて移動することが可能である傾斜面作業補助具を提供する。【解決手段】傾斜面での歩行や作業を行う際に左右それぞれの靴に装着する傾斜面作業補助具１であって、前記靴を載せられる大きさの載置部２１を備えているとともに一方向に傾斜された傾斜底部２２を備えている水平保持手段２と、前記水平保持手段２の載置部２１上に設けられて、ここに載せられる前記靴を固定するための靴固定手段３と、前記水平保持手段２と前記靴固定手段３との間に設けられて両者を前記載置部２１に沿って相互に回転自在に連結する回転連結手段と、前記靴固定手段３を前記水平保持手段２に対して任意の回転位置で固定する回転位置固定手段５とを有している。【選択図】図１
0003194346.tif 000002
【実用新案登録請求の範囲】
【請求項１】
傾斜面での歩行や作業を行う際に左右それぞれの靴に装着する傾斜面作業補助具であって、
前記靴を載せられる大きさの載置部を備えているとともに一方向に傾斜された傾斜底部を備えている水平保持手段と、
前記水平保持手段の載置部上に設けられて、ここに載せられる前記靴を固定するための靴固定手段と、
前記水平保持手段と前記靴固定手段との間に設けられて両者を前記載置部に沿って相互に回転自在に連結する回転連結手段と、
前記靴固定手段を前記水平保持手段に対して任意の回転位置で固定する回転位置固定手段とを有している、傾斜面作業補助具。
【請求項２】
前記回転位置固定手段は、前記靴固定手段の先端が前記傾斜底部の傾斜方向またはこれに垂直な方向に向く四カ所の回転位置において前記靴固定手段を固定しうる、請求項１に記載の傾斜面作業補助具。
【請求項３】
前記水平保持手段の前記傾斜底部には、複数の滑止用突起が設けられている、請求項１または請求項２に記載の傾斜面作業補助具。
【請求項４】
前記水平保持手段の前記載置部が略長方形状に形成されているとともに、前記傾斜底部が前記載置部の長辺から垂下された略長方形状の長方形側板と前記載置部の短辺から垂下された略台形状の台形側板とから構成されており、前記長方形側板および前記台形側板には、複数の貫通孔または開口が形成されている、請求項１から請求項３のいずれかに記載の傾斜面作業補助具。
【考案の詳細な説明】
【技術分野】
【０００１】
本考案は、傾斜面である法面等における歩行や作業を行う際に靴に装着して前記傾斜面での作業を補助する傾斜面作業補助具に関するものである。
【背景技術】
【０００２】
法面における植樹作業や雑草の伐採作業等、傾斜面において歩行や作業を行う場合、体重のかかる方向と足の設置面との角度が傾斜しているため作業者の足首に負担をかけてしまう。このため、足首に疲労が蓄積され、足首を痛めたり、傾斜面で転倒するおそれがあり、さらに作業がし難いので作業効率も悪い。
【０００３】
そこで、従来、傾斜面における歩行や作業をし易くするための補助具に関する考案が提案されている。
【０００４】
例えば、特開２０１０−２５９７４１号公報では、任意の角度に折り曲げた板からなる靴底装着用滑り防止用具が提案されている（特許文献１）。この特許文献１によれば、折り曲げた板の上に足を載せて紐等で固定することにより足底が水平に保たれるため、傾斜面での歩行や作業をする場合に足首を曲げ続けなくてよくなるとされている。
【先行技術文献】
【特許文献】
【０００５】
【特許文献１】特開２０１０−２５９７４１号公報
【考案の概要】
【考案が解決しようとする課題】
【０００６】
しかしながら、特許文献１に記載された考案においては、足を折り曲げた板に直接的に固定してしまうため、作業者は傾斜面に対して一方向にしか向くことができず、方向転換をすることができないという問題がある。このため、例えば作業を終えて元の位置に戻るためには、身体を方向転換することができず、後ずさりしながら戻ることになる。このような傾斜面での後ずさりは、転倒しやすく大怪我に至るおそれがある。
【０００７】
また、特許文献１に記載された考案においては、足のつま先が傾斜面の傾斜方向に対して垂直方向に向けた状態でしか足を固定することができないため、傾斜面を上ったり、下りたりする場合には、横歩きで少しずつ上り下りするしかなく、移動にとても時間がかかるし、疲れる。
【０００８】
本考案は、このような問題点を解決するためになされたものであって、傾斜面における歩行や作業がし易く、方向転換して移動することが可能であり、かつ傾斜面を上り下りする際にもその方向を向いて移動することが可能である傾斜面作業補助具を提供することを目的としている。
【課題を解決するための手段】
【０００９】
本考案に係る傾斜面作業補助具は、傾斜面での歩行や作業を行う際に左右それぞれの靴に装着する傾斜面作業補助具であって、前記靴を載せられる大きさの載置部を備えているとともに一方向に傾斜された傾斜底部を備えている水平保持手段と、前記水平保持手段の載置部上に設けられて、ここに載せられる前記靴を固定するための靴固定手段と、前記水平保持手段と前記靴固定手段との間に設けられて両者を前記載置部に沿って相互に回転自在に連結する回転連結手段と、前記靴固定手段を前記水平保持手段に対して任意の回転位置で固定する回転位置固定手段とを有している。
【００１０】
また、本考案の一態様として、前記回転位置固定手段は、前記靴固定手段の先端が前記傾斜底部の傾斜方向またはこれに垂直な方向に向く四カ所の回転位置において前記靴固定手段を固定しうるようにしてもよい。
【００１１】
さらに、本考案の一態様として、前記水平保持手段の前記傾斜底部には、複数の滑止用突起が設けられているようにしてもよい。
【００１２】
また、本考案の一態様として、前記水平保持手段の前記載置部が略長方形状に形成されているとともに、前記傾斜底部が前記載置部の長辺から垂下された略長方形状の長方形側板と前記載置部の短辺から垂下された略台形状の台形側板とから構成されており、前記長方形側板および前記台形側板には、複数の貫通孔または開口が形成されているようにしてもよい。
【考案の効果】
【００１３】
本考案によれば、傾斜面における歩行や作業がし易く、方向転換して移動することが可能であり、かつ傾斜面を上り下りする際にもその方向を向いて移動することができる。
【図面の簡単な説明】
【００１４】
【図１】本考案に係る傾斜面作業補助具の一実施形態において靴固定手段の先端を水平保持手段の傾斜底部の傾斜方向に対して垂直方向に向けた状態を示す斜視図である。
【図２】図１に示す状態における本実施形態の傾斜面作業補助具を示す側面図である。
【図３】本実施形態における水平保持手段を示す平面図である。
【図４】本実施形態における水平保持手段を示す側面図である。
【図５】図１に示す方向を向けた傾斜面作業補助具を傾斜面に置いた状態を示す使用状態図である。
【図６】靴固定手段を図１に示す方向から反転させた傾斜面作業補助具を傾斜面に置いた状態を示す使用状態図である。
【図７】靴固定手段の先端を水平保持手段の傾斜底部の傾斜方向山側に向けた状態を示す斜視図である。
【図８】靴固定手段の先端を水平保持手段の傾斜底部の傾斜方向谷側に向けた状態を示す斜視図である。
【考案を実施するための形態】
【００１５】
以下、本考案に係る傾斜面作業補助具の一実施形態について図面を用いて説明する。
【００１６】
本実施形態の傾斜面作業補助具１は、図１および図２に示すように、法面や雪面等の傾斜面Ｓに対して水平を保持する水平保持手段２と、この水平保持手段２に靴を固定する靴固定手段３と、前記水平保持手段２と前記靴固定手段３とを相互に回転自在に連結する回転連結手段４と、前記靴固定手段３を前記水平保持手段２に対して任意の回転位置で固定する回転位置固定手段５とを有している。以下、各構成について詳細に説明する。
【００１７】
水平保持手段１は、靴を載せられる大きさの載置部２１を備えているとともに、底面が一方向に傾斜された傾斜底部２２を備えている。
【００１８】
前記載置部２１は、図１に示すように、平面視で略長方形状に形成されており、成人や子供、男性や女性等、各々に適した靴が載置できる程度の大きさを有している。載置部２１の素材は金属製、樹脂製、木製等の各種素材を採用することが可能であって特に限定されるものではないが、軽量化の観点からアルミニウム製や強化樹脂製が好ましく、本実施形態では、アルミニウム製の板材により形成されている。また、図３に示すように、載置部２１には、後述する回転位置固定手段５のフック部５２を取り付けるための開口２１１が二つ形成されているとともに、前記載置部２１の裏面には前記開口位置に合わせて前記フック部５２を固定するためのフック固定部２１２が設けられている。
【００１９】
傾斜底部２２は、載置部２１に対し底面を傾斜させたものであり、法面等の傾斜面Ｓにおける傾斜方向と底面の傾斜方向とを一致させることで前記載置部２１を略水平に保持するようになっている。本実施形態では、図１に示すように、主として、前記載置部２１の長辺から垂下された略長方形状の長方形側板２２１と、前記載置部２１の短辺から垂下された略台形状の台形側板２２２とから構成されている。
【００２０】
前記長方形側板２２１は、載置部２１の長辺に沿って略長方形状に形成されている。傾斜面Ｓに対して谷側の長方形側板２２１ａは、山側の長方形側板２２１ｂに比べて高さ方向に高く形成されている。また、各長方形側板２２１の素材は、金属製、樹脂製、木製等の各種素材を採用することが可能であって特に限定されるものではないが、軽量化の観点からアルミニウム製や強化樹脂製が好ましく、本実施形態では、アルミニウム製の板材により形成されている。さらに、谷側の長方形側板２２１には、図１に示すように、軽量化のために略矩形状の大きな開口２３が設けられており、門構え状に形成されている。
【００２１】
前記台形側板２２２は、図４に示すように、谷側の長方形側板２２１ａと接する側を台形の下底、山側の長方形側板２２１ｂと接する側を台形の上底、載置部２１と接する側を一方の台形の脚とする台形状に形成されている。また、傾斜面Ｓに接する側の台形の脚は、上述のとおり、谷側の長方形側板２２１ａが山側の長方形側板２２１ｂに比べて高さ方向に高く形成されていることから、前記載置部２１に対して傾斜するように形成されている。また、各台形側板２２２の素材は、金属製、樹脂製、木製等の各種素材を採用することが可能であって特に限定されるものではないが、軽量化の観点からアルミニウム製や強化樹脂製が好ましく、本実施形態では、アルミニウム製の板材により形成されている。さらに、図２や図４等に示すように、前記台形側板２２２にはとともに、複数の貫通孔２４が設けられており、更なる軽量化が図られている。
【００２２】
また、水平保持手段２の傾斜底部２２には、傾斜面Ｓでの滑り止めを防止するために複数の滑止用突起２５が設けられている。本実施形態における滑止用突起２５は、図１等に示すように、傾斜底部２２の四隅において下方に突出するように設けられており、その先端が傾斜面Ｓに突き刺さるように鋭角状に形成されている。
【００２３】
さらに、谷側の長方形側板２２１ａおよび山側の長方形側板２２１ｂには、図３および図４に示すように、各長方形側板２２１が傾斜面Ｓに食い込み過ぎないようにするため、各長方形側板２２１の下縁から内側へ垂直に延出された食い込み防止ストッパー２６が設けられている。
【００２４】
なお、水平保持手段の傾斜底部２２は、４つの板状部材２２１，２２２により構成されているが、これに限定されるものではなく、箱形の台を採用するなど、使用される傾斜面Ｓに応じて適宜変更してよい。
【００２５】
次に、靴固定手段３について説明する。靴固定手段３は、水平保持手段２の載置部２１上に設けられるとともに、ここに載せられる靴を安定的に固定するためのものである。本実施形態では、図１および図２に示すように、スノーボード等でも使用されるビンディングを採用しており、踵からふくらはぎを支える背面板３１や足首部分およびつま先部分等を締め付けて固定する締め付け具３２を有する。
【００２６】
また、ビンディングの両側部には、後述する回転位置固定手段５のレバー部５１を設置するためのレバー部設置部３３が設けられている。
【００２７】
なお、靴固定手段３は、上述したビンディングに限定されるものではなく、締結バンド等、靴を固定できる手段であれば適宜選択することができる。
【００２８】
回転連結手段４は、図２に示すように、水平保持手段２と靴固定手段３との間に設けられ、両者を回転自在に連結するものである。両者を回転自在に連結できればその構造は特に限定されるものではないが、本実施形態では、上下２枚の部材を有し、各部材の間にボールベアリング（図示せず）が内蔵されている。この回転連結手段４は、一方の部材は水平保持手段の載置部２１にボルト止めされ、他方の部材は靴固定手段３の裏面にボルト止めされている。これにより、水平保持手段２と靴固定手段３とは、載置部２１の載置面に沿って相対的に自由に回転することができる。
【００２９】
回転位置固定手段５は、靴固定手段３を水平保持手段２に対して任意の回転位置で固定するものであり、本実施形態では、図１に示すように、留め金具５が用いられている。
【００３０】
本実施形態における留め金具５は、いわゆるパッチン錠であって、レバー部５１とフック部５２とから構成されている。本実施形態では、図２に示すように、靴固定手段３の両側面の略中央に１個ずつレバー部５１が設けられている。
【００３１】
一方、フック部５２は、図３および図４に示すように、水平保持手段２の各長方形側板２２１の略中央に１個ずつ設けられているとともに、載置部２１に形成された開口２１１に面するようにしてフック固定部２１２に１個ずつ設けられている。これにより、回転位置固定手段５は、図３に示すように、靴固定手段３の先端が前記傾斜底部２２の傾斜方向またはこれに対して垂直な方向（換言すれば前記傾斜底部２２の傾斜面に対して交差しない方向）に向く四カ所の回転位置において、前記靴固定手段３を固定しうるようになる。
【００３２】
次に、本実施形態の傾斜面作業補助具１における各構成の作用について説明する。
【００３３】
まず、傾斜面Ｓの傾斜方向に対して靴固定手段３の先端（つま先）を垂直な方向に向ける場合について説明する。この場合、作業者の体は傾斜方向に対して垂直方向（横方向）に向けられることになり、法面の草刈り等の作業においてとられる体勢である。
【００３４】
回転連結手段４では、図１に示すように、靴固定手段３が水平保持手段２の傾斜底部２２の傾斜方向に対して垂直な方向に向くように回転させる。
【００３５】
回転位置固定手段５では、靴固定手段３の両側面に設けられたレバー部５１，５１を水平保持手段２の両長方形側板２２１に設けられたフック部５２，５２にそれぞれ係止させ、レバー部５１を上方向に倒すことにより、靴固定手段３の先端が傾斜底部２２の傾斜方向に対して垂直方向に向く回転位置で前記靴固定手段３を水平保持手段２に固定する。
【００３６】
作業者は靴を靴固定手段３に載せ、締め付け具３２，３２によって足首およびつま先を締め付ける。これにより作業者の靴は、靴固定手段３にしっかりと固定され、ずれることがない。
【００３７】
なお、本実施形態では、水平保持手段２と靴固定手段３とを回転位置固定手段５により固定した後に靴を前記靴固定手段３に固定する場合について説明しているが、靴を固定する順番はこれに限定されるものではなく、靴を前記靴固定手段３に固定してから水平保持手段２と靴固定手段３との回転位置の調整および固定を行ってもよい。
【００３８】
作業者は、図５に示すように、傾斜底部２２の傾斜方向と傾斜面Ｓの傾斜方向とを一致させるようにして、傾斜面Ｓに対して体を横方向に向けて立つ。このとき傾斜底部２２が傾斜面Ｓの傾斜角度に合わせて傾斜されているため、水平保持手段２の載置部２１は、略水平に保持されるため、作業者はほぼ水平面上に立つ状態を維持することが可能となり、よって作業者の足首の負担が軽減される。
【００３９】
また、傾斜底部２２に設けられた複数の滑止用突起２５が傾斜面Ｓに突き刺さる。このため、作業者が傾斜面Ｓに立っても滑りにくく、歩行や作業を安定的に行うことができる。一方、本実施形態における谷側の長方形側板２２１ａおよび山側の長方形側板２２１ｂには、食い込み防止ストッパー２６が設けられているため、傾斜底部２２が傾斜面Ｓに対して必要以上に食い込むことがなく、歩行や移動がスムーズに行える。
【００４０】
さらに、本実施形態では、各部材をアルミニウム等の軽量化素材を用いているとともに、複数の貫通孔２４または開口２３を設けることにより傾斜面作業補助具全体１の軽量化も図っている。よって、作業者の疲労を抑制し、歩行を容易に行うことができる。
【００４１】
また、傾斜面作業補助具１の大きな特徴として、方向転換が容易に行うことができる点が挙げられる。例えば、作業者が向きを１８０度変更したい場合、水平保持手段２に対する靴固定手段３の回転位置を反転させればよく、まず回転位置固定手段５のレバー部５１を立てて、フック部５２からレバー部５１を外し、水平保持手段２を１８０度回転させた後、再びレバー部５１をフック部５２に掛けて固定すればよい。これにより、図６に示すように、反転された状態で傾斜面に立つことができ、逆方向を向いた歩行や作業が可能となる。
【００４２】
前述のように靴固定手段３の方向を変更する際には、回転位置固定手段５による固定の解除および再固定は、ワンタッチで行うことができる。よって、作業者は靴固定手段３から靴を取り外さなくても、傾斜底部２２の傾斜方向を簡単かつ安全に反転させることができる。
【００４３】
また、図７および図８に示すように、傾斜面Ｓに対して上り方向または下り方向に向くことも可能である。すなわち、靴固定手段３の先端を傾斜底部２２の傾斜方向の山側に向けた回転位置で固定すれば、図７に示すように、作業者は傾斜面Ｓの上り方向に向いて上ることが可能となり、従来のような横向きで斜面を上る必要はなくなり、極めて効率的に移動ないし作業が進められ、かつ様々な作業を安全に行うことが可能となる。
【００４４】
また、同様に、靴固定手段３の先端を傾斜底部２２の傾斜方向の谷側に向けた回転位置で固定すれば、図８に示すように、作業者は傾斜面Ｓの下り方向に向いて下ることが可能となり、例えば作業終了後に横向きで斜面を下りる必要はなくなり、階段を下りるようにして安全に傾斜面Ｓを下ることができる。
【００４５】
以上のような本実施形態の傾斜面作業補助具１によれば、以下の効果を得ることができる。
１．作業者が傾斜面Ｓにおいてほぼ水平に立つことができるため、足首への負担を軽減し、傾斜面Ｓにおける歩行や作業が安全かつ効率的に行える。
２．靴を靴固定手段３に固定したままで簡単に方向転換することができるため、極めて実用的であり、作業者の安全も確保することができる。
３．作業者が傾斜面Ｓを上り下りする際にもその方向に身体を向けて移動や作業することが可能となるため、安全性と効率性に優れている。
【００４６】
なお、本考案に係る傾斜面作業補助具は、前述した一実施形態に限定されるものではなく、適宜変更することができる。
【００４７】
例えば、靴固定手段３を傾斜底部２２に対して所望の回転位置で固定する場合、本実施形態の位置に限定されるものではなく、必要に応じて四カ所以外の回転位置で固定できるようにしてもよい。
【符号の説明】
【００４８】
１  傾斜面作業補助具
２  水平保持手段
３  靴固定手段
４  回転連結手段
５  回転位置固定手段（留め金具）
２１  載置部
２２  傾斜底部
２３  開口
２４  貫通孔
２５  滑止用突起
２６  食い込み防止ストッパー
３１  背面板
３２  締め付け具
３３  レバー部設置部
５１  レバー部
５２  フック部
２１１  開口
２１２  フック固定部
２２１  長方形側板
２２２  台形側板
Ｓ  傾斜面
【図１】
0003194346.tif 000003
【図２】
0003194346.tif 000004
【図３】
0003194346.tif 000005
【図４】
0003194346.tif 000006
【図５】
0003194346.tif 000007
【図６】
0003194346.tif 000008
【図７】
0003194346.tif 000009
【図８】
0003194346.tif 000010